(57)【要約】【課題】  シャワー剤を混合しつつシャワーを行うシャワー器具に用いられて、所定の時間、所定の濃度で原水に混合でき、溶け残りが無いように使い切ることのできるシャワー器具用シャワー剤を提供する。【解決手段】  同心状に配置された内側円筒体１６と外側円筒体１７とを有しており、内側円筒体１６の内側を原水主流路１８とすると共に、内側円筒体１６と外側円筒体１７との間を薬剤収容室１５とし、薬剤収容室１５に収容されたシャワー剤を原水に混合しつつ下流側流路１４に流出させる混合用アタッチメント１０を備えるシャワー器具１１に用いるシャワー剤であって、薬剤収容室１５は５〜２５ｍＬの容量を有し、薬剤収容室１５には螺旋流発生手段４２が設けられており、原水主流路１８への流量Ｑ１と、薬剤収容室１５への流量Ｑ２との原水の流量分配比Ｑ２／Ｑ１が０．０３〜０．３となっており、シャワー剤の粘度が１６００〜３５０００mPa・secである。【選択図】      図２
2006055222.tif 000002
【特許請求の範囲】
【請求項１】
同心状に配置された内側筒体と外側筒体とを有しており、前記内側筒体の内側を原水主流路とすると共に、内側筒体と外側筒体との間の中空部を、両端を上流側閉塞部と下流側閉塞部とで覆って薬剤収容室とし、該薬剤収容室に収容されたシャワー剤を上流側流路から流入した原水に混合しつつ、該原水と共に下流側流路に流出させる混合用アタッチメントを備えるシャワー器具に用いるシャワー剤であって、
前記薬剤収容室は５〜２５ｍＬの容量を有すると共に、前記薬剤収容室には、上流側端部における流入口と接続して、流入する原水によって流出口に向かう螺旋流を生じさせる螺旋流発生手段が設けられており、
前記原水主流路への流量Ｑ１と、前記流入口を介した前記薬剤収容室への流量Ｑ２との原水の流量分配比Ｑ２／Ｑ１が０．０３〜０．３となっており、
前記シャワー剤の粘度が１６００〜３５０００mPa・secであるシャワー器具用シャワー剤。
【請求項２】
前記薬剤収容室への薬剤注入孔と嵌合するノズル先端部を有する容器に収容された請求項１記載のシャワー器具用シャワー剤。
【請求項３】
同心状に配置された内側筒体と外側筒体とを有しており、前記内側筒体の内側を原水主流路とすると共に、内側筒体と外側筒体との間の中空部を、両端を上流側閉塞部と下流側閉塞部とで覆って薬剤収容室とし、該薬剤収容室に収容されたシャワー剤を上流側流路から流入した原水に混合しつつ、該原水と共に下流側流路に流出させる混合用アタッチメントを備えるシャワー器具であって、前記薬剤収容室は５〜２５ｍＬの容量を有すると共に、前記薬剤収容室には、上流側端部における流入口と接続して、流入する原水によって流出口に向かう螺旋流を生じさせる螺旋流発生手段が設けられており、前記原水主流路への流量Ｑ１と、前記流入口を介した前記薬剤収容室への流量Ｑ２との原水の流量分配比Ｑ２／Ｑ１が０．０３〜０．３となっているシャワー器具の薬剤収容室に、粘度が１６００〜３５０００mPa・secのシャワー剤を注入し、該薬剤収容室に原水を流入させつつ、５〜１５Ｌ／分の流量で原水を供給することにより、シャワー剤が混合された原水を散水させるシャワー器具の使用方法。
【請求項４】
５〜１５０秒間、０．０５〜５質量％の濃度でシャワー剤が混合された原水を散水させる請求項３記載のシャワー器具の使用方法。
【発明の詳細な説明】
【技術分野】
【０００１】
本発明は、シャワー器具用シャワー剤及びシャワー器具の使用方法に関し、特に、薬剤収容室に収容されたシャワー剤を上流側流路から流入した原水に混合しつつ、該原水と共に下流側流路に流出させる混合用アタッチメントを備えるシャワー器具に用いるシャワー器具用シャワー剤、及びシャワー器具の使用方法に関する。
【背景技術】
【０００２】
シャワー器具やその他の薬剤散布器具に取り付けて、各種の液状、ゲル状、粒状、固形状等の家庭用消費薬剤や混合用薬剤を、原水に混合しながら散布できるようにした混合用アタッチメントが開示されている（例えば、特許文献１参照）。特許文献１に記載の混合用アタッチメントは、同心状に配置された内側筒体と外側筒体とを有しており、内側筒体の内側を原水主流路とすると共に、内側筒体と外側筒体との間の中空部を、両端を上流側閉塞部と下流側閉塞部とで覆って薬剤収容室としたものであり、薬剤収容室に収容された薬剤等を上流側流路から流入した原水に混合しつつ、原水と共に下流側流路に流出させる。
【０００３】
また、特許文献１に記載の混合用アタッチメントは、薬剤収容室の上流側端部における流入口と接続して、流出口に向かう螺旋流を流入する原水によって薬剤収容室内に生じさせる螺旋流発生手段を備えており、この螺旋流発生手段を介して螺旋流を発生させることにより、薬剤収容室内のデッドスペースや流れの生じ難い部分にも原水を効果的に行き届かせて、少ない流量の原水によっても薬剤収容室内の混合用薬剤を効率良く原水に混合しつつ容易に流出させることを可能にする。
【特許文献１】特開２００４−４２０２７号公報
【発明の開示】
【発明が解決しようとする課題】
【０００４】
一方、例えばシャワー水に混合用薬剤としてシャワー剤を混合しつつ、入浴やシャワーの仕上げを行う場合には、例えば５〜１５０秒間程度の所定の時間、例えば０．０５〜５質量％程度の所定の濃度で湯水によるシャワー用の原水にシャワー剤を混合できるようにして、シャワー剤を全身に行き渡らせるようにすることが望ましい。また、シャワー剤を混合しつつ所定の時間シャワーを行った後は、薬剤収容室に収容されたシャワー剤を、溶け残りを生じないように使い切ることができるようにして、シャワー器具を次に使う際の清潔感等を保持できるようにすることが望ましい。
【０００５】
本発明は、原水にシャワー剤を混合しつつシャワーを行えるようにした特定の構成のシャワー器具に用いられて、所定の時間、所定の濃度で原水に混合できシャワー剤を全身に行き渡らせることができると共に、所定の時間の経過後にはシャワー器具の薬剤収容室に溶け残りが無いように使い切ることを可能にするシャワー器具用シャワー剤、及び該シャワー剤を用いたシャワー器具の使用方法を提供することを目的とする。
【課題を解決するための手段】
【０００６】
本発明は、同心状に配置された内側筒体と外側筒体とを有しており、前記内側筒体の内側を原水主流路とすると共に、内側筒体と外側筒体との間の中空部を、両端を上流側閉塞部と下流側閉塞部とで覆って薬剤収容室とし、該薬剤収容室に収容されたシャワー剤を上流側流路から流入した原水に混合しつつ、該原水と共に下流側流路に流出させる混合用アタッチメントを備えるシャワー器具に用いるシャワー剤であって、前記薬剤収容室は５〜２５ｍＬの容量を有すると共に、前記薬剤収容室には、上流側端部における流入口と接続して、流入する原水によって流出口に向かう螺旋流を生じさせる螺旋流発生手段が設けられており、前記原水主流路への流量Ｑ１と、前記流入口を介した前記薬剤収容室への流量Ｑ２との原水の流量分配比Ｑ２／Ｑ１が０．０３〜０．３となっており、前記シャワー剤の粘度が１６００〜３５０００mPa・secであるシャワー器具用シャワー剤を提供することにより、上記目的を達成したものである。
【０００７】
また、本発明は、同心状に配置された内側筒体と外側筒体とを有しており、前記内側筒体の内側を原水主流路とすると共に、内側筒体と外側筒体との間の中空部を、両端を上流側閉塞部と下流側閉塞部とで覆って薬剤収容室とし、該薬剤収容室に収容されたシャワー剤を上流側流路から流入した原水に混合しつつ、該原水と共に下流側流路に流出させる混合用アタッチメントを備えるシャワー器具であって、前記薬剤収容室は５〜２５ｍＬの容量を有すると共に、前記薬剤収容室には、上流側端部における流入口と接続して、流入する原水によって流出口に向かう螺旋流を生じさせる螺旋流発生手段が設けられており、前記原水主流路への流量Ｑ１と、前記流入口を介した前記薬剤収容室への流量Ｑ２との原水の流量分配比Ｑ２／Ｑ１が０．０３〜０．３となっているシャワー器具の薬剤収容室に、粘度が１６００〜３５０００mPa・secのシャワー剤を注入し、該薬剤収容室に原水を流入させつつ、５〜１５Ｌ／分の流量で原水を供給することにより、シャワー剤が混合された原水を散水させるシャワー器具の使用方法を提供することにより、上記目的を達成したものである。
【発明の効果】
【０００８】
本発明のシャワー器具用シャワー剤、及び該シャワー剤を用いたシャワー器具の使用方法によれば、シャワー器具用シャワー剤は、原水にシャワー剤を混合しつつシャワーを行えるようにした特定の構成のシャワー器具に用いられて、所定の時間、所定の濃度で原水に混合できシャワー剤を全身に行き渡らせることができると共に、所定の時間の経過後にはシャワー器具の薬剤収容室に溶け残りが無いように使い切ることを可能にすることができる。
【発明を実施するための最良の形態】
【０００９】
図１に示す本発明の好ましい一実施形態に係るシャワー器具用シャワー剤が用いられるシャワー器具１１は、混合用アタッチメント１０を一体として備えるものであり、この混合用アタッチメント１０は、当該シャワー器具１１と、シャワー水供給ホース１２との間に介在して取り付けられ、原水であるシャワー用の湯水に浴用薬剤、洗浄用薬剤、香料薬剤、スキンケア用薬剤、ヘアケア用薬剤等のシャワー剤を添加混合しつつ下流側のシャワー器具１１に向けて流下させて、これらのシャワー剤が添加混合された湯水によってシャワーを行うことを可能し、シャワー器具１１をシャワー剤散布器具としても用いることができるようにするために採用されたものである。すなわち、本実施形態によれば、混合用アタッチメント１０は、例えば合成樹脂からなり、例えば使用者が湯上り用としてシャワーを使用する際に、その都度、薬剤収容室１５（図２参照）に所望量のシャワー剤を注入し、入浴の仕上げとして、例えば５〜１５０秒間程度、シャワー剤を徐放させつつ例えば０．０５〜５質量％程度の所望の濃度で混合したシャワー用の湯水を身体に散水させ、当該シャワー剤を身体に付着させて、これらのシャワーによる効用が効果的に得られるようにすること目的として用いられるものである。
【００１０】
そして、本実施形態のシャワー器具用シャワー剤は、図２及び図３（ａ），（ｂ）に示すような、同心状に配置された内側円筒体１６と外側円筒体１７とを有しており、内側円筒体１６の内側を原水主流路１８とすると共に、内側円筒体１６と外側円筒体１７との間の中空部を、両端を上流側閉塞部１９と下流側閉塞部２０とで覆って薬剤収容室１５とし、この薬剤収容室１５に収容されたシャワー剤をシャワー水供給ホース１２側の上流側流路１３から流入した原水に混合しつつ、原水と共にシャワー器具１１側の下流側流路１４に流出させる混合用アタッチメント１０を備えるシャワー器具１１に用いるシャワー剤である。そして、混合用アタッチメント１０の薬剤収容室１５は５〜２５ｍＬの容量を有すると共に、この薬剤収容室１５には、上流側端部における流入口３７と接続して、流入する原水によって流出口３９に向かう螺旋流を生じさせる螺旋流発生手段４２が設けられており、原水主流路１８への流量Ｑ１と、流入口３７を介した薬剤収容室１５への流量Ｑ２との原水の流量分配比Ｑ２／Ｑ１が０．０３〜０．３となっており、且つシャワー器具用シャワー剤の粘度は１６００〜３５０００mPa・secとなっている。
【００１１】
また、本実施形態によれば、１６００〜３５０００mPa・secの粘度を有するシャワー器具用シャワー剤は、薬剤収容室１５への薬剤注入孔２３と嵌合するノズル先端部を有する容器に収容されて、製品化されている。
【００１２】
本実施形態によれば、混合用アタッチメント１０を構成する内側円筒体１６は、円盤ドーナツ形状の上方基盤３２と円盤ドーナツ形状の下方基盤３３とによって上下の端部を支持された状態で固定され、内側の原水主流路１８は、上方基盤３２及び下方基盤３３の中央貫通穴３２ａ，３３ａを介して下流側流路１４や上流側流路１３と連通している。この内側円筒体１６の下部及び上部における周面が上流側閉塞部１９及び下流側閉塞部２０によって覆われる部分には、上流側連通孔３４及び下流側連通孔３５が、当該内側円筒体１６の周壁を横方向に貫通するようにして、周方向の同じ位置に上下に配置されて各々形成されている（図３（ａ），（ｂ）参照）。
【００１３】
外側円筒体１７は、好ましくは透明な合成樹脂からなるスリーブ形状の部材であって、その下端部及び上端部において、内側円筒体１６との間に上流側閉塞部１９及び下流側閉塞部２０を各々介在させて、内側円筒体１６に対して周方向に回転移動可能に取り付けられる。これによって、外側円筒体１７の内側には、当該外側円筒体１７と、内側円筒体１６と、上流側閉塞部１９及び下流側閉塞部２０とによって囲まれる、５〜２５ｍＬの容量を有する円環状断面の薬剤収容室１５が形成されることになる。ここで、薬剤収容室１５の容量は、５〜２５ｍＬとする必要がある。好ましくは１０〜２０ｍＬである。薬剤収容室１５の容量が５ｍＬよりも小さいと、シャワー剤を注入できる量が少なくなるため、シャワー剤による効果が十分に得られなくなったり、シャワー剤の溶けが速すぎてシャワー剤を全身に適用できなくなる場合がある。薬剤収容室１５の容量が２５ｍＬよりも大きいと、シャワーヘッドの使い勝手が悪くなる（薬剤収容室を大きくしなければならないため、シャワーヘットが長く、あるいは太くなり、また原水主流路を細くする必要を生じて通常の使用時の散水量が低減する等）場合がある。
【００１４】
また、本第１実施形態によれば、外側円筒体１７には、これの下部における周面に薬剤収容室１５への薬剤注入孔２３が開口形成され、この薬剤注入孔２３は水抜き孔を兼ねると共に、外側円筒体１７の上部には、薬剤注入孔２３の垂直上方に位置して空気孔３６が開口形成されている。そして、薬剤注入孔２３及び空気孔３６を覆うようにして、これらと同時に合致可能なスライド注入孔２４及びスライド空気孔４３を有する開閉スライド部材２５が、外側円筒体１７の軸方向Ｘにスライド移動可能に取り付けられている（図３（ａ），（ｂ）参照）。
【００１５】
外側円筒体１７と内側円筒体１６との間に介在する上流側閉塞部１９と下流側閉塞部２０は、円盤ドーナツ形状の部材であって、下方基盤３３と上方基盤３２の薬剤収容室１５側の内面に各々回転移動可能に密着して取り付けられる。また上流側閉塞部１９と下流側閉塞部２０は、シール性を確保するためのＯ−リングを適宜の位置に介在させつつ、上流側閉塞部１９と下流側閉塞部２０の外周面を外側円筒体１７の内周面に各々接合一体化すると共に、これらの内周面を内側円筒体１６の外周面に各々回転移動可能に密着させて取り付けられる。これによって上流側閉塞部１９と下流側閉塞部２０は、内側円筒体１６を中心とした周方向に、外側円筒体１７と一体となって回転移動することになる。
【００１６】
また、上流側閉塞部１９と下流側閉塞部２０の内部には、これらの断面中央部分を同心状かつ円環状に貫通するようにして、原水流入路２１及び流出路２２が、周方向に沿って延設して各々形成されている。原水流入路２１が形成された上流側閉塞部１９には、内側円筒体１６の上流側連通孔３４と合致することが可能な周方向の特定の位置に、内側円筒体１６の外周面を覆う当該上流側閉塞部１９の内壁部分を貫通して、流入口３７（図３（ｂ）参照）が形成されている。また原水流入路２１の天面壁部分を貫通して、収容室連通孔３８が周方向に複数箇所開口形成されており、これらの収容室連通孔３８を介して、原水流入路２１から薬剤収容室１５に原水を供給することができるようになっている。
【００１７】
一方、流出路２２が形成された下流側閉塞部２０には、内側円筒体１６の下流側連通孔３５と合致することが可能な周方向の特定の位置に、内側円筒体１６の外周面を覆う当該下流側閉塞部２０の内壁部分を貫通して、流出口３９（図３（ｂ）参照）が、流入口３７と同じ方向に開口して形成されている。また流出路２２の下面壁部分を貫通して、収容室連通孔４０が周方向に複数箇所開口形成されており、これらの収容室連通孔４０を介して、シャワー剤を混入した原水を薬剤収容室１５から流出路２２に排出することができるようになっている。
【００１８】
そして、本実施形態によれば、内側円筒体１６に対する、上流側閉塞部１９及び下流側閉塞部２０が一体となった外側円筒体１７の相対的な回転移動によって、図３（ａ）に示すような、上流側連通孔３４及び下流側連通孔３５と、流入口３７及び流出口３９とが互いにずれて原水流入路２１及び流出路２２が閉塞された状態と、図３（ｂ）に示すような、上流側連通孔３４及び下流側連通孔３５と、流入口３７及び流出口３９とが互いに合致して原水流入路２１及び流出路２２が開放された状態とを切り替えて、原水流入路２１及び流出路２２の開閉操作を容易に行うことが可能になる。
【００１９】
ここで、本実施形態によれば、原水流入路２１及び流出路２２が開放された際の、原水主流路１８への流量Ｑ１と、流入口３７を介した薬剤収容室１５への流量Ｑ２との原水の流量分配比Ｑ２／Ｑ１は、一般的なシャワー使用時の原水の流量である、５〜１５Ｌ／分、好ましくは８〜１２Ｌ／分の流量でシャワーを使用した際に、０．０３〜０．３とする必要がある。好ましくは０．０５〜０．２である。流量Ｑ１と流量Ｑ２との原水の流量分配比Ｑ２／Ｑ１が０．０３よりも小さいと、薬剤収容室１５への流量が少なくなり、収容されたシャワー剤に溶け残りが発生するなど剤を十分に溶解させにくくなるという不具合が生じることになる。流量分配比Ｑ２／Ｑ１が０．３よりも大きいと、特定の濃度以上の濃度でシャワー剤を混合したシャワー水を、５秒間以上継続して供給することが困難になり、また原水主流路の流量が少なくなって通常のシャワー使用時の散水量が低減すること等により、シャワーヘッドの使い勝手が悪くなる。
【００２０】
なお、本実施形態によれば、薬剤収容室１５の内部には、例えば比重の異なる２種類の流動子５０ａ，５０ｂが各々２個ずつ合計４個収容されている。流動子５０ａ，５０ｂは、流入口３７から流出口３９へ向かう水の流れの作用によって、薬剤収容室１５の内部において、壁面に衝突したり流動子同士で衝突しながら上下左右にあばれるようにして自由に動く（遊動する）ことができるようになっている。これによって、薬剤収容室１５に流入した原水にシャワー剤をさらにスムーズに混合することが可能になる。
【００２１】
本実施形態によれば、薬剤収容室１５に設けられた、流入する原水によって流出口３９に向かう螺旋流を生じさせる螺旋流発生手段４２は、図４に示すように、例えば周方向を向いた切欠き面５１に周方向放流口５２を開口形成した放流羽からなり、周方向に１８０度ずらして２箇所に配置されている。螺旋流発生手段４２の周方向放流口５２は、各々上流側閉塞部１９の収容室連通孔３８を介して原水流入路２１と連通しており、流入口３７及び流出口３９が開放された際に、原水流入路２１に流入する原水の圧力によって当該原水を螺旋方向に放流させ、これによって流出口３９に向かう螺旋方向の流れを薬剤収容室１５の内部に容易に生じさせる。
【００２２】
なお、薬剤収容室１５には、螺旋流発生手段４２に加えて、例えば放流羽の外周面に近接して上方に向けて開口形成した軸方向放流口による軸方向放流手段５４を設けることもできる。軸方向放流手段５４は、収容室連通孔３８を介して原水流入路２１と連通しており、流入口３７及び流出口３９が開放された際に原水流入路２１に流入する原水の圧力によって、当該原水を軸方向に向けて放流させる。これによって、螺旋方向の流れと軸方向の流れとが混合された不規則な流れ（乱流）を、薬剤収容室１５の内部に容易に生じさせることが可能になり、薬剤収容室１５に流入した原水にシャワー剤をさらにスムーズに混合することが可能になる。
【００２３】
そして、本実施形態によれば、混合用アタッチメント１０が一体として取り付けられるシャワー器具１１は、図２に示すように、例えば合成樹脂からなり、これの中空内部が、混合用アタッチメント１０の原水主流路１８と連通する下流側流路１４を形成している。またヘッド部１１ａの斜め下方を向いた開口面は円形の散水面として開口しており、この散水面を覆うようにして、多数の散水孔が形成された散水板５５が、例えば中心部分を貫通するようにしてシャワー器具１１の円柱状固定部１１ｂに向けてビスをねじ込むことにより、一体として取り付けられている。なお、本実施形態によれば、散水板５５に形成された多数の散水孔は、例えば０．６〜１．０ｍｍの孔径を有しており、最近接ピッチを３．０〜５．０ｍｍとして開口形成されている。また、散水板５５に形成された多数の散水孔の総面積は、好ましくは３０〜６０ｍｍ2となっている。
【００２４】
上述の構成を有する混合用アタッチメント１０を備えるシャワー器具１１は、例えば長さが１８０〜２５０ｍｍ程度、太さ（最大径）が３０〜６０ｍｍ程度、重量が１００〜２５０ｇ程度となっている。また、散水角度θ１（図１参照）が例えば１０〜２０度となっている。さらに、一般的なシャワー使用時の原水の流量である５〜１５Ｌ／分程度の流量でシャワーを使用した際に、混合用アタッチメント１０が取り付けられていない一般のシャワー器具と比較して、８割以上の流量を確保できるようになっている。
【００２５】
また、上述の構成を有する混合用アタッチメント１０を備えるシャワー器具１１は、外側円筒体１７の軸方向Ｘにスライド移動可能に取り付けられた開閉スライド部材２５を介した操作によって、空気孔３６や水抜き注入孔２３を開閉したり、原水流入路２１や流出路２２を開閉したりできるようになっている。すなわち、開閉スライド部材２５を外側円筒体１７に対して上下にスライド移動することにより、空気孔３６や水抜き注入孔２３を開閉することができ、外側円筒体１７を上流側閉塞部１９及び下流側閉塞部２０と共に内側円筒体１６に対して周方向に回転移動することにより、上流側閉塞部１９に形成された原水流入路２１や下流側閉塞部２０に形成された流出路２２の開閉を行うことができるようになっている。
【００２６】
そして、上述のシャワー器具１１を用いてシャワー剤を混合したシャワー水によるシャワーを行うには、まず薬剤注入孔２３及び空気孔３６を開放し、薬剤注入孔２３を介して例えば５〜２５ｇのシャワー器具用シャワー剤を薬剤収容室１５に注入する。
【００２７】
ここで、本実施形態のシャワー器具用シャワー剤は、浴用薬剤、洗浄用薬剤、香料薬剤、スキンケア用薬剤、ヘアケア用薬剤等のシャワー剤であって、１６００〜３５０００mPa・sec、好ましくは２５００〜３００００mPa・sec、より好ましくは５０００〜２００００mPa・sec、特に好ましくは８０００〜１５０００mPa・secの粘度を有しており、薬剤注入孔２３と嵌合するノズル先端部を有する容器に収容されて製品化されている。シャワー器具用シャワー剤が薬剤注入孔２３と嵌合するノズル先端部を有する容器に収容されていることにより、例えばこのノズル先端部を、薬剤注入孔２３に嵌合させるように挿入して容器を押圧することにより、当該シャワー器具シャワー剤を、使用の度にスムーズに注入して薬剤収容室１５に容易に収容させることが可能になる。
【００２８】
また、本実施形態のシャワー器具用シャワー剤は、１６００〜３５０００mPa・secの粘度を有している必要がある。シャワー剤の粘度が１６００mPa・secよりも小さいと、シャワー剤の溶けが速すぎてシャワー剤を全身に適用できないという不具合が生じることになり、３５０００mPa・secよりも大きいと、薬剤収容室１５内にシャワー剤の溶け残りが生じてシャワー剤の効果が十分に得られなくなるという不具合が生じることになる。またのシャワー器具用シャワー剤の粘度を２５００〜３００００mPa・secとすることにより、シャワー剤の溶けが速すぎることがないのでシャワー剤をより斑なく全身に適用することが可能になるという利点が得られることになる。また、容器に収容されたシャワー剤を薬剤収容室１５に注入する際に、高粘度のため特に大きな押圧力を必要としたり低粘度のため剤がたれたりこぼれたりするといった不都合を防ぎ、剤の薬剤収容室１５への注入を快適に行うことができるという利点が得られることになる。なお、粘度の測定条件は、使用機器：ＢＭ型粘度計（（株）東京什器製）、ローター：Ｎｏ．４、回転数：１２ｒｐｍ、測定時間：６０秒、測定温度：２５℃、である。
【００２９】
薬剤収容室１５へシャワー器具用シャワー剤を所望量注入したら、開閉スライド部材２５をスライド操作し、外側円筒体１７の薬剤注入孔２３及び空気孔３６と、開閉スライド部材２５のスライド注入孔２４及びスライド空気孔４３をずらして、薬剤注入孔２３及び空気孔３６を閉塞する。また、この状態から、外側円筒体１７を、上流側閉塞部１９及び下流側閉塞部２０と共に内側円筒体１６に対して回転移動操作することにより、原水流入路２１や流出路２２を開放し、原水である湯水を薬剤収容室１５へ流入させてシャワー剤を希釈させ、当該シャワー剤が混合されたシャワー水を散水可能とする。これによって、薬剤収容室１５のシャワー剤を使い切るまで、好ましくは５〜１５０秒間、特に好ましくは５〜１２０秒間継続して、０．０５〜５質量％の所望の濃度でシャワー剤を混合したシャワー水を身体に散水させ、当該シャワー剤を全身にわたって容易に付着させることが可能になる。さらに好ましくは、本実施形態のシャワー器具用シャワー剤を用いることにより、１０秒間以上、０．１〜２質量％程度の濃度でシャワー剤を混合したシャワー水を身体に散水させることが可能になる。
【００３０】
シャワー剤を混合したシャワー水によるシャワーが終了したら、外側円筒体１７を、上流側閉塞部１９及び下流側閉塞部２０と共に内側円筒体１６に対して回転移動操作することにより、原水流入路２１や流出路２２を閉鎖した後、開閉スライド部材２５を介した操作によって、外側円筒体１７の薬剤注入口２３及び空気孔３６と、開閉スライド部材２５のスライド注入口２４及びスライド空気孔４３とを合致させることにより、シャワー剤と入れ替わった原水を薬剤収容室１５から水抜きすることが可能な状態になると共に、薬剤収容室１５へシャワー剤を再び注入してゆくことが可能な状態に復帰することになる。本実施形態によれば、上述の５〜１５０秒間程度のシャワーの使用によって、薬剤収容室１５に収容されたシャワー器具用シャワー剤を使い切るように設定されているので、再びシャワー剤を注入してシャワー器具１１を使用する際の清潔感等を容易に保持することが可能になる。
【００３１】
したがって、本実施形態によれば、シャワー器具用シャワー剤は、１６００〜３５０００mPa・secの粘度を有していると共に、螺旋流発生手段が設けらた容量が５〜２５ｍＬの薬剤収容室１５に収容して用いられ、且つシャワー器具の混合用アタッチメントは、原水主流路への流量Ｑ１と、流入口を介した薬剤収容室への流量Ｑ２との原水の流量分配比Ｑ２／Ｑ１が０．０３〜０．３となっているので、所定の時間、所定の濃度で当該シャワー剤を原水に混合しながらシャワーを行うことがきると共に、所定の時間の経過後には薬剤収容室に溶け残りが無いように使い切ることができる。
【００３２】
なお、本発明は上記実施形態に限定されることなく種々の変更が可能である。例えば、本発明のシャワー器具用シャワー剤は、薬剤収容室への薬剤注入孔と嵌合するノズル先端部を有する容器に
収容されている必要は必ずしもなく、その他の容器に収容されて製品化されていても良い。また、薬剤収容室の内部に、流動子が収容されている必要は必ずしもなく、螺旋流発生手段に加えて軸方向放流手段を設ける必要は必ずしもない。
【実施例】
【００３３】
以下、本発明を実施例に基づいてさらに詳細に説明するが、本発明はこれらに限定されるものではない。
【００３４】
上述の実施形態の混合用アタッチメントを備えるシャワー器具と同様のシャワー器具を用い、これの薬剤収容室に、表１に示す粘度を有し、表１に示す処方で配合された処方No.１〜No.９の９種類のシャワー剤を収容して、これらのシャワー剤について、「シャワー剤の粘度による溶解時間の評価」と「実使用評価」を行った。なお、シャワー器具の薬剤収容室の容量を１５ｍＬとし、各々１２ｇのシャワー剤を薬剤収容室に注入した。また、シャワー器具の原水主流路への流量Ｑ１と、流入口を介した薬剤収容室への流量Ｑ２との原水の流量分配比Ｑ２／Ｑ１を０．０７とした。さらに、原水として３８〜４０℃の湯を使用し、９．５〜１０．０Ｌ／分の流量でシャワー器具に供給した。
【００３５】
【表１】
2006055222.tif 000003
【００３６】
「シャワー剤の粘度による溶解時間の評価」において、薬剤収容室にシャワー剤がある場合には、これを透明な外側円筒体の外側から目視によって確認した。「実使用評価」においては、評価１として、シャワー剤が斑なく全身に行き渡った否かを評価し、大変よく行き渡ったを「◎」、行き渡ったを「○」、行き渡ったが溶け残りが多いを「△」、溶けが速すぎ行き渡らないを「×」とした。また、評価２として、シャワー剤の効果としてタオルドライ後にしっとり感を感じたか否かを評価し、全身的に大変よく感じたを「◎」、全身的によく感じたを「○」、やや感じたか或いは部分的に感じたを「△」、感じないを「×」とした。評価結果を表２及び表３に示す。
【００３７】
【表２】
2006055222.tif 000004
【００３８】
【表３】
2006055222.tif 000005
【００３９】
表１及び表２に示す評価結果によれば、本発明に係る処方No.２，３，４，５，６，７のシャワー剤は、「剤の粘度による溶解時間の評価」及び「実使用評価」において優れており、上述のシャワー器具に用いられて、例えば仕上げ用のシャワーに適した所定の時間、所定の濃度で原水に混合しつつシャワーを行うことができると共に、所定の時間の経過後には、シャワー器具の薬剤収容室に溶け残りが無いように容易に使い切ることができることが判明する。
【図面の簡単な説明】
【００４０】
【図１】本発明の一実施形態に係るシャワー器具用シャワー剤が用いられる混合用アタッチメントを備えるシャワー器具の側面図である。
【図２】本発明の一実施形態に係るシャワー器具用シャワー剤が用いられる混合用アタッチメントを備えるシャワー器具の断面図である。
【図３】（ａ）及び（ｂ）は、混合用アタッチメントの断面図である。
【図４】薬剤収容室に設けられる螺旋流発生手段を示す略示斜視図である。
【符号の説明】
【００４１】
１０  混合用アタッチメント
１１  シャワー器具
１２  シャワー水供給ホース
１３  上流側流路
１４  下流側流路
１５  薬剤収容室
１６  内側円筒体
１７  外側円筒体
１８  原水主流路
１９  上流側閉塞部）
２０  上流側閉塞部
２１  原水流入路
２２  流出路
２３  薬剤注入孔
２５  開閉スライド部材
３６  空気孔
３７  流入口
３９  流出口
４２  螺旋流発生手段
５０ａ，５０ｂ  流動子
５４  軸方向放流手段
５５  散水板
【図１】
2006055222.tif 000006
【図２】
2006055222.tif 000007
【図３】
2006055222.tif 000008
【図４】
2006055222.tif 000009